(57)【要約】  本発明は、自動集尿装置に関するもので、使用者の小便を捕集して洗浄水を排尿部位で噴射する集尿部１０と；前記集尿部１０で捕集された小便を貯蔵する尿貯蔵部２１と、前記集尿部１０に使用される洗浄水を貯蔵する洗浄水貯蔵部２２と、前記集尿部１０の小便を前記尿貯蔵部２１に移動させて前記洗浄水貯蔵部２２の洗浄水を前記集尿部１０に移動させる駆動部２３と、前記駆動部２３の動作を制御する制御部２４と、フィルター部２５及び、前記尿貯蔵部２１の尿水位と洗浄水貯蔵部２２の洗浄水水位及び洗浄水の温度を感知するセンサーからなるハウジングセンサー部からなるハウジング２０及び；前記制御部２４の制御を操作して状態を確認できる操作パネル３０で構成されて、患者自身患者自ら看病人の助けることなく排尿ができるようにして、排尿後患者の排尿部位を洗浄水できれいに洗浄して看病人の助けなしでは一人の力で排尿部位を洗うのが難しい寝床依存患者の清潔を維持して、泌尿器系感染を極小化することによって患者の心的負担及び経済的負担を減少させることができて、尿が貯蔵される尿貯蔵部内の空気排出口から放出される悪臭を除去する悪臭除去手段を具備して使用時に悪臭が出ない格別の利点がある有用な発明である。【選択図】図２
2016521191.tif 000002
【特許請求の範囲】
【請求項１】
使用者の小便を捕集する集尿カップ１１と小便を認識して吸入して洗浄水を排尿部位で噴射する尿収集部１２と機器と連結されるアダプタ１４及び総導管１３で構成された集尿部１０と；前記集尿部１０で捕集された小便を貯蔵する尿貯蔵部２１と、前記集尿部１０に使用される洗浄水を貯蔵する洗浄水貯蔵部２２と、前記集尿部１０の小便を前記尿貯蔵部２１に移動させて前記洗浄水貯蔵部２２の洗浄水を前記集尿部１０に移動させる駆動部２３と、前記駆動部２３の動作を制御する制御部２４と、フィルター部２５と、前記尿貯蔵部２１の尿水位と洗浄水貯蔵部２２の洗浄水水位及び洗浄水の温度を感知するセンサーからなるハウジングセンサー部からなるハウジング２０及び；前記制御部２４の制御を操作して状態を確認できる操作パネル３０で構成された自動集尿装置。
【請求項２】
前記尿収集部１２は、放射される小便を捕集する集尿カップ１１の開口部１１ａ内部に挿入されて集尿カップ１１を着脱させる構造と尿センサー部１２ａの回転が可能なように捉えて洗浄水を噴射する開口部１２ｄが設置された尿収集頸部１２ｂと；総導管１３と連結された尿収集体部１２ｃで構成されていることを特徴とする請求項１に記載の自動集尿装置。
【請求項３】
前記集尿カップ１１は、上部に尿収集用開口部１１ａを持って下面が半円状を成し、全面が開放されたカップ本体１１ｂに中央部が開口されたシリコン１１ｄが挿入されたままリング状の固定手段１１ｅが挿入融着されてセンサー部１２ａが回転可能な空間を確保したカップ本体１１ｂとシリコン１１ｄ及び固定手段１１ｅが一切を成し女性用で使われることを特徴とする請求項１に記載の自動集尿装置。
【請求項４】
前記カップ本体１１ｂは、透明体であることを特徴とする請求項３に記載の自動集尿装置。
【請求項５】
前記固定手段１１ｅの上部側に設置されたちょうつがいｓを介してカップ本体１１ｂの全面開放部を覆う覆いｔを設置して悪臭を防止することを特徴とする請求項３に記載の自動集尿装置。
【請求項６】
前記シリコン１１ｄは、集尿カップ１１の開口部１１ａ上に登っていくようにその長さが延長されて、シリコン１１ｄを数枚重なってる多重刃１１ｄ’構造で形成されていることを特徴とする請求項３に記載の自動集尿装置。
【請求項７】
前記シリコン１１ｄは、カップ本体１１ｂの左右側全面に多数のしわ台１１ｓが形成されて、シリコン１１ｄの開口部周りに多数のしわ帯１１ｔが形成されていることを特徴とする請求項３に記載の自動集尿装置。
【請求項８】
前記集尿カップ１１のカップ本体１１ｂにある支持台１１ｆに結合孔１１ｇがあってシリコン１１ｄの下面に結合用突起１１ｆ’があってシリコン１１ｄを前後方向で交替可能になることを特徴とする請求項３に記載の自動集尿装置。
【請求項９】
前記集尿カップ１１のカップ本体１１ｂにある支持台１１ｆに結合孔１１ｇがあってシリコン１１ｄの下面に結合用突起１１ｆ’があってシリコン１１ｄを側面方向で交替可能になることを特徴とする請求項３に記載の自動集尿装置。
【請求項１０】
前記結合孔１１ｇと結合用突起１１ｆ’は、よろいのさねの形で形成して結合用突起１１ｆ’が側面に挿入された後簡単に抜けないように形成されたことを特徴とする請求項８または請求項９に記載の自動集尿装置。
【請求項１１】
前記集尿カップ１１のカップ本体１１ｂにある支持台１１ｆによろいのさねの形で結合用突起を形成して、シリコン１１ｄの下面に結合孔を形成して結合用突起が側面に挿入された後簡単に抜けないように形成されたことを特徴とする請求項８または請求項９に記載の自動集尿装置。
【請求項１２】
前記集尿カップ１１は、上部に総導管１３に連結された尿収集部１２が挿入される開口部１１ｉと下部に内側面に沿って結合用突起リングが形成されている指めき形締結部１１ｊを持つカップ本体１１’と；一側端部が内側面に沿って結合用突起リングが形成されて結合用リング掛け１１ｋを成し、他側端部が陰茎が挿入されるしわ管体１１”及び；前記カップ本体１１’としわ管体１１”を結合する結合手段１１ａ’で構成されて男性用で使われることを特徴とする請求項１または請求項２に記載の自動集尿装置。
【請求項１３】
前記結合手段１１ａ’は、上部外周沿に沿って前記指めき形締結部１１ｊの結合用で形成された上部溝１１ｂ’と、下部外周沿に沿って前記リング掛け１１ｋの結合用で形成された下部溝１１ｂ”と、前記上下部溝１１ｂ’，１１ｂ”の間のリングボディー１１ｃ’と、前記リングボディー１１ｃ’の外周沿に沿って一定の間隔で形成されたガードル掛け１１ｄ”及び、前記リングボディー１１ｃ’の一側外面にＵ字形状で形成された総導管固定具１１ｅ’で構成されていることを特徴とする請求項１２に記載の自動集尿装置。
【請求項１４】
前記しわ管体１１”は、一側面中央部に貫通孔１１ｋ’が形成されたことを特徴とする請求項１２に記載の自動集尿装置。
【請求項１５】
前記しわ管体１１”は、一側面端部が切開された切開部１１ｋ”が形成されたされたことを特徴とする請求項１２に記載の自動集尿装置。
【請求項１６】
前記しわ管体１１”の下段部一側にちょうつがいｓ’が設置されて、前記ちょうつがいｓ’を介してしわ管体１１”の開放部を覆う覆いｎ’が設置されて悪臭を防止することを特徴とする請求項１２に記載の自動集尿装置。
【請求項１７】
前記カップ本体１１’は、ゴムまたは軟質の材質であることを特徴とする請求項１２に記載の自動集尿装置。
【請求項１８】
前記カップ本体１１’は、硬質のプラスチックであることを特徴とする請求項１２に記載の自動集尿装置。
【請求項１９】
前記カップ本体１１’は、人体に無害なシリコンやコンドームと同じラテックスまたはビニールを使ったことを特徴とする請求項１２に記載の自動集尿装置。
【請求項２０】
前記センサー部１２ａに付着したセンサーでは静電式センサーであることを特徴とする請求項３に記載の自動集尿装置。
【請求項２１】
前記センサー部１２ａに付着したセンサーでは電極式センサーであることを特徴とする請求項３に記載の自動集尿装置。
【請求項２２】
前記センサー部１２ａのセンサー線が尿収集頸部１２ｂ間に連結されてもセンサー部１２ａの回転が円滑なようにセンサー部１２ａと尿収集頸部１２ｂ内部にフレキシブル（flexible）ＰＣＢに連結されていることを特徴とする請求項３に記載の自動集尿装置。
【請求項２３】
前記総導管１３は、小便が移送される導尿管１３ａと、洗浄水が移送される洗浄水管１３ｂ及びセンサーの信号伝送用センサー管１３ｃが一つの管内部に存在するが３個の管がそれぞれ分離して形成された三重管構造で形成されていることを特徴とする請求項１に記載の自動集尿装置。
【請求項２４】
前記総導管１３は、センサー管１３ｃが別個で分離して尿収集部１２とアダプタ１４と直接連結されて、小便が移動する導尿管１３ａと洗浄水が移動する洗浄水管１３ｂが内部にそれぞれ別に形成された２重管構造で形成されていることを特徴とする請求項１に記載の自動集尿装置。
【請求項２５】
前記総導管１３は、センサー管１３ｃが別個で分離して尿収集部１２とアダプタ１４と直接連結されて、小便が移動する導尿管１３ａと洗浄水が移動する洗浄水管１３ｂがそれぞれ独立的に分離して単一管構造で形成されていることを特徴とする請求項１に記載の自動集尿装置。
【請求項２６】
前記総導管１３は、前記尿収集部１２とアダプタ１４の末端から分離交替が可能な構造を成していることを特徴とする請求項２４に記載の自動集尿装置。
【請求項２７】
前記総導管１３は、前記尿収集部１２とアダプタ１４の末端から分離交替が可能な構造を成していることを特徴とする請求項２５に記載の自動集尿装置。
【請求項２８】
前記アダプタ１４は、前記総導管１３の端部が連結されるアダプタ上側部１４ａと；尿の異質物を濾過する濾過部１４ｂ及び；前記濾過部１４ｂを固定するアダプタ下側部１４ｃで構成されていることを特徴とする請求項１に記載の自動集尿装置。
【請求項２９】
前記アダプタ上側部１４ａの外周縁にセンサージャック１５ｃが設置されて、底面にある中空部に導尿管開口部１５ｂと洗浄水管開口部１５ａが形成されて、中央部にはロック手段１５ｄが形成されていることを特徴とする請求項２８に記載の自動集尿装置。
【請求項３０】
前記濾過部１４ｂは、底面を成し円形板体の外周部が円筒状を成し形成される中空部１６と；前記底面で中空部１６内外で突出形成される洗浄水管１３ｂ’と；前記中空部１６外側底面上に突出形成された導尿管１３ａ’及び；前記中空部１６側面に固定される濾過網１７で構成されていることを特徴とする請求項２８に記載の自動集尿装置。
【請求項３１】
前記濾過部１４ｂは、アダプタ上側部１４ａに常に一定の位置に挿入されるほかはないように翼または隔壁が設置されていることを特徴とする請求項２８に記載の自動集尿装置。
【請求項３２】
前記濾過部１４ｂは、濾過網１７の異物質濾過状態を確認できるように透明体であることを特徴とする請求項２８に記載の自動集尿装置。
【請求項３３】
前記ハウジング２０の尿貯蔵部２１と洗浄水貯蔵部２２は、互いに分離した空間に設置されていることを特徴とする請求項１に記載の自動集尿装置。
【請求項３４】
前記尿貯蔵部２１の尿貯蔵箱２１ａは、本体２１ａ’とキャップ部２１ｂで形成されていることを特徴とする請求項１に記載の自動集尿装置。
【請求項３５】
前記本体２１ａ’の上部面に溝２１ｔが形成されて前記溝２１ｔの内側端部にセンサー挿入溝２１ｓが形成されて、駆動部２３の中央下面に突出する静電式センサー２３ｄが装着されていることを特徴とする請求項３４に記載の自動集尿装置。
【請求項３６】
前記尿貯蔵部２１の尿貯蔵箱２１ａを鉢形態にして１回用ビニールパックを入れるようにしたことを特徴とする請求項１または請求項３３に記載の自動集尿装置。
【請求項３７】
前記尿貯蔵部２１の尿貯蔵箱２１ａのキャップ部２１ｂに本体２１ａ’との結合手段が設置されていることを特徴とする請求項１または請求項３３に記載の自動集尿装置。
【請求項３８】
前記尿貯蔵部２１の尿貯蔵箱２１ａの本体２１ａ’に尿量を測定できる目盛りを形成したことを特徴とする請求項１または請求項３３に記載の自動集尿装置。
【請求項３９】
前記洗浄水貯蔵部２２の底面には、温度感知センサー２２ａと洗浄水フィルター２２’，水位センサー２２”及びヒーター板２２ｂが設置されていることを特徴とする請求項１に記載の自動集尿装置。
【請求項４０】
前記洗浄水貯蔵部２２の底面にヒーター板２２ｂと別に超音波発生手段を具備させて加湿器の機能を持つことを特徴とする請求項３９に記載の自動集尿装置。
【請求項４１】
前記ハウジング２０の洗浄水貯蔵部覆い２２ｆにより洗浄水の外部への流れが防止されていることを特徴とする請求項１に記載の自動集尿装置。
【請求項４２】
前記ヒーター板２２ｂの下段にはセラミックヒーター２２ｄとバイメタル温度センサー２２ｅが設置されていることを特徴とする請求項３９に記載の自動集尿装置。
【請求項４３】
前記洗浄水貯蔵部２２の底面には温度感知センサー２２ｃが設置されてヒーター板２２ｂによる洗浄水の温度が制御されて、前記温度感知センサー２２ｃが正常作動しない場合、バイメタル２２ｅによりセラミックヒーターに供給される電源が遮断されてヒーター板２２ｂの過熱で生じることがある低温火傷を予防することを特徴とする請求項３９に記載の自動集尿装置。
【請求項４４】
前記洗浄水フィルター２２’は、円筒状の貫通孔２２ａ’、２２ａ”が形成されたメインボディー２２ｇと；前記貫通孔２２ａ”下部側メインボディー２２ｇに挿入されて固定される濾過網２２ｂ’と；前記貫通孔２２ａ’上部中央側メインボディー２２ｇに形成された要溝２２ｃ’に挿入される突起部２２ｄ”を備する一方向開閉板２２ｄ’と；前記開閉板２２ｄ’上のメインボディー２２ｇに挿入されて前記開閉板２２ｄ’の突起部２２ｄ”を固定するとともに開閉板２２ｄ’の開きを制限する開閉板固定リング２２ｅ’及び；前記メインボディー２２ｇの上面を覆う内部に中空部２２ｆ”を備するフィルター覆い２２ｆ’で構成されていることを特徴とする請求項３９に記載の自動集尿装置。
【請求項４５】
前記駆動部２３は、前記尿収集部１２の尿を尿ホースを介して尿貯蔵部２１の尿貯蔵箱２１ａに移動させる尿吸入ポンプ２３ａと；前記洗浄水貯蔵部２２に貯蔵された洗浄水を洗浄水ホースを介して上記総導管１３の洗浄水管１３ｂに移動させる洗浄水ポンプ２３ｂ及び；前記総導管１３の洗浄水管１３ｂで乾燥空気を洗浄水ホースを介して供給する乾燥ポンプ２３ｃで構成されていることを特徴とする請求項１に記載の自動集尿装置。
【請求項４６】
前記洗浄水ホースは、洗浄水の通路と乾燥空気の通路で兼用して使用されるため、その連結部にはＴ管を使用することを特徴とする請求項４１に記載の自動集尿装置。
【請求項４７】
前記制御部２４は、マイクロプロセッサーを備して前記操作パネル３０の操作設定によって設定されたプログラムによって本発明自動集尿装置の各部の動作を制御することを特徴とする請求項１に記載の自動集尿装置。
【請求項４８】
前記制御部２４の制御によって各部の操作状態及び動作状態が前記操作パネル３０上のディスプレイ画面上に表示されることを特徴とする請求項１に記載の自動集尿装置。
【請求項４９】
前記制御部２４は、各部の操作状態及び動作状態をスピーカーを介して音声で案内したり、音楽やその他音源を送出することを特徴とする請求項１に記載の自動集尿装置。
【請求項５０】
前記フィルター部２５は、内部に悪臭除去用フィルターが内蔵される筒体２５ａと；尿貯蔵箱２１ａと連結される貫通孔２１ａ”に設置される尿逆流遮断手段２５ｂ及び；多数の空気排出口２５ｃで構成されていることを特徴とする請求項１に記載の自動集尿装置。
【請求項５１】
前記尿逆流遮断手段２５ｂは、内部に中空部を持つ円筒体２５ｂ’と；前記円筒体２５ｂ’内に挿入される移動球２５ｂ”でなされて貫通孔２１ａ”で尿貯蔵箱２１ａの尿が逆流される場合、逆流された尿により移動球２５ｂ”が浮上して上部円筒体開口孔２５ｆを防ぐように構成されていることを特徴とする請求項５０に記載の自動集尿装置。
【請求項５２】
前記移動球２５ｂ”は、上部球体２５ｄと下部放射状で一定の角度の間隔を置いて形成された翼２５ｅで構成されたことを特徴とする請求項５１に記載の自動集尿装置。
【請求項５３】
前記悪臭除去用フィルターでは、バイオフィルター、活性炭繊維フィルター、炭フィルターのうちどれひとつまたは少なくとも一つ以上を兼用として使用することを特徴とする請求項５０に記載の自動集尿装置。
【請求項５４】
前記フィルター部２５の構造をモジュール化してハウジング２０内部に着脱を簡便にすることで、フィルターの交換を容易にしたことを特徴とする請求項１に記載の自動集尿装置。
【請求項５５】
前記ハウジングのセンサー部として尿満積かどうかを感知するために、ハウジング２０の内部に静電式センサー２１ｄを内蔵したことを特徴とする請求項１に記載の自動集尿装置。
【請求項５６】
前記ハウジングのセンサー部として洗浄水の不足かどうかを感知するために、前記洗浄水貯蔵部２２に設置されて洗浄水の水位を感知する水位センサーを内蔵したことを特徴とする請求項１に記載の自動集尿装置。
【請求項５７】
前記水位センサーは、静電式センサー、電極式センサー、光センサー、磁気場センサーのいずれかであることを特徴とする請求項５６に記載の自動集尿装置。
【請求項５８】
前記ハウジングのセンサー部として洗浄水貯蔵部２２に設置されて洗浄水の温度を感知する温度センサーが内蔵されたことを特徴とする請求項１に記載の自動集尿装置。
【請求項５９】
前記操作パネル３０は、各部の操作状態及び動作状態を示すディスプレイ画面３１と；自動／手動洗浄ボタン３２、３２’；温水／乾燥ボタン３３、３３’；連続洗浄選択ボタン３４；測定リセットボタン３５；測定モード転換ボタン３６及び；夜間モードボタンで構成されていることを特徴とする請求項１に記載の自動集尿装置。
【請求項６０】
前記操作パネル３０は、タッチスクリーンで構成されたことを特徴とする請求項１に記載の自動集尿装置。
【請求項６１】
前記ディスプレイ画面３１には、排尿回数と洗浄水量が表示されるだけでなく本発明自動集尿装置の異常状態を示して、警告する機能を備えたことを特徴とする請求項５９に記載の自動集尿装置。
【請求項６２】
本発明自動集尿装置を入れることができる底板４１ａと壁体４１ｂになる筒体４１と；前記筒体４１の端に一定の間隔で形成されたベルト孔４２及び；前記ベルト孔４２に挿入されて車椅子に縛るようになる多数のベルトで構成されて、前記筒体４１と分離して物品を収納できる道具収納部４３が追加で備えたことを特徴とする請求項１に記載の自動集尿装置。
【請求項６３】
集尿部１０の集尿カップ１１を着用するために使用する女性用ＸガードルＧは、左右側前面に形成された多数のバンド輪ａと一側端部の前面と他側端部の後面にそれぞれ形成されたベルクロテープｂ、ｂ’及び一側端部側前面にＸバンド固定ボタンｂ”を備して、背面にパッドｐ、ｐ’が内蔵された腰バンドＣと；端部に締結手段ｃ、ｃ’を備する後面ひもｄ、ｄ’と、端部に締結手段ｅ、ｅ’を備する前面ひもｆ、ｆ’と、前記後面ひもｄ、ｄ’の間に連結される支持帯ｇと、前記全面ひもｆ、ｆ’の間に連結されるホース固定ボタン設置帯ｈと、前記ホース固定ボタン設置帯ｈに形成されて長さ方向で多数の固定ボタン挿入口を持つボタン挿入台I及び、前記ボタン挿入台ｉの一側端部に固定されたホース固定ボタンｊでかなって前記後面ひもｄ、ｄ’と前面ひもｆ、ｆ’がＸ字状で交差連結されたＸバンドＫで構成されていることを特徴とする請求項１に記載の自動集尿装置。
【請求項６４】
前記女性用ＸバンドＫは、布ではなくしわ式不織布で形成され１回用に便利に使用できることを特徴とする請求項６３に記載の自動集尿装置。
【請求項６５】
前記後面ひもｄ、ｄ’と前面ひもｆ、ｆ’がＸ字状で交差する交差の部分ｍを上部は狭く下部は広く形成して前記交差の部分ｍの中央に穴ｎを形成して、前記穴ｎの上部外面側交差の部分ｍには二重布を形成して、前記穴ｎの内面側外周縁に沿って一定の間隔で男性用集尿カップ１１のガードルかけ１１ｄ”にかかっている輪ｏを形成して、前記穴ｎの下の交差の部分ｍに多数の固定ボタン挿入口を持つボタン挿入台ｉ及び、前記ボタン挿入台ｉの一側端部に固定されたホース固定ボタンｊを形成して男性用ＸガードルＧとして使用することを特徴とする請求項６３に記載の自動集尿装置。
【請求項６６】
前記男性用ＸバンドＫは、布ではなくしわ式不織布で形成され１回用に便利に使用できることを特徴とする請求項６３に記載の自動集尿装置。
【請求項６７】
前記尿貯蔵箱２１ａは、ハウジング２０に前後着脱式に装着されることを特徴とする請求項３６に記載の自動集尿装置。
【請求項６８】
前記尿貯蔵箱２１ａは、ハウジング２０に側面着脱式に装着されることを特徴とする請求項３６に記載の自動集尿装置。
【請求項６９】
前記尿貯藏箱２１ａは、ハウジング２０に覆い回転式で装着されることを特徴とする請求項３６に記載の自動集尿裝置。
【請求項７０】
前記尿貯蔵箱２１ａは、ハウジングに上下着脱式に装着されることを特徴とする請求項３６に記載の自動集尿装置。
【請求項７１】
前記ハウジング２０に充電式バッテリーが内蔵されていることを特徴とする請求項１に記載の自動集尿装置。
【発明の詳細な説明】
【技術分野】
【０００１】
本発明は、老弱者や患者の排尿を手軽に収集する集尿装置に係り、より一層詳細には老弱者や患者自ら看病人の助けなしに手軽に排尿ができるながら排尿後排尿部位を洗浄水できれいに洗浄して寝床依存患者や老弱者の清潔を維持できる自動集尿装置に関する。
【背景技術】
【０００２】
ほとんどの重患者、身体のうち下半身を使用できない患者、慢性退行性疾患で寝床に依存する患者または尿失禁と同じ疾患がある老弱者と一緒に排尿時トイレを利用できない患者の場合、看病人の助けを受けて寝床で排尿をしなければならない。すなわち、寝床依存患者の排尿時二人以上の看病人が必要になるのに、一人は患者の骨盤を持ち上げて、残りの一人は小便器を患者のお尻の下に押し込んで排尿をする。
【０００３】
しかし、このような方法は、患者と看病人がすべて面倒なだけでなく、身体の動きを自制して安定を取らなければならない患者の場合、治療に逆効果を招くようになる問題点がある。このような問題点に患者が排尿能力があっても尿道にフォーリーカテーテル（Foley catheter）を挿入する施術を施行する場合が多い。
【０００４】
この施術は、尿道入口から膀胱までフォーリーカテーテルを挿入することで、患者の苦痛が激しく、女性の場合、羞恥心を誘発することもできる。これら問題よりさらに深刻な問題で泌尿器系感染がある。実際に手術後感染症状中最も一般的な原因がすぐに泌尿器系感染だ。このような尿道及び膀胱などの泌尿器系感染問題に長期間（７日以上）フォーリーカテーテルを維持するのが大変だ。実際の病院で多様な理由でフォーリーカテーテル挿入手術後悪寒、発熱など感染の兆候がある時最も先に施行する処置がすぐにこのフォーリーカテーテルを除去して、適切な抗生剤を投与した後その経過を見守るのだ。一旦感染すればフォーリーカテーテルを除去しなければならず、各種抗生剤投与及び保存的治療が並行されて、必然的に入院期間が延びる。これによって患者の経済的損失と心的負担が過重されるしかない実情だ。このような問題点にもかかわらず、排尿能力があるが挙動が不便な患者の場合、フォーリーカテーテルを任意に施術していた。
【０００５】
前記の実情を考慮して開発された従来の集尿装置で特許第０３６７２３１号（特許文献１参照）と第０３７４２３５号（特許文献２参照）の“個人用集尿及びビデ装置”が登録特許公報に開示されている。
【０００６】
前記特許第０３６７２３１号と第０３７４２３５号の“個人用集尿及びビデ装置”は図１に図示したとおり外部の空気を使用者の排尿部位で送風するようになった送風手段を含み放射される小便を捕集して底面に形成された排出口Ｂを介して排出するようになった尿収集器Ｃと、前記尿収集器Ｃの一側に設置されて洗浄水を排尿部位に噴射することになったビデ器Ｄ及び前記排出口Ｂに連結設置されて小便が移送される導尿管Ｅと洗浄水が移送される洗浄水管Ｆと、電線３９を内部に含むことになった連結導管Ｇ及び；連結導管が連結される結合部材４５で構成されて使用者の小便を捕集して洗浄水を排尿部位で噴射することになった集尿部Ａと；内部に所定の液体を保存するように空間が形成された尿貯蔵箱６２と、前記尿貯蔵箱６２の一側に液体が流通可能に形成された注入口６４及び中心部に貫通孔６６が形成されて前記注入口６４に着脱可能に結びつくキャップ６８で構成されて前記集尿部Ａで捕集された小便を貯蔵することになった尿貯蔵部６０と；洗浄水を含めるように内部に空間が形成されて上部には洗浄水を満たしてくれるようになった洗浄水供給口が形成されて下部には洗浄水の流れを調節するチェックバルブを媒介に洗浄水を排出させる洗浄水配送口が形成された洗浄水貯蔵箱９８と、前記洗浄水配送口を介して移送された洗浄水を供給を受けて所定の設定温度で加熱して前記集尿部Ａに供給する温熱部１００で構成されて前記集尿部１０に使われる洗浄水を貯蔵するようになった洗浄水貯蔵部９０と；前記集尿部Ａの小便を前記尿貯蔵部６０に移動させて前記洗浄水貯蔵部９０の洗浄水を前記集尿部Ａに移動させることになった駆動部１２０と；前記駆動部１２０の動作を制御する制御部及び；前記集尿部１０を吹出可能に設置される前方収納部１３２と、前記尿貯蔵部６０及び洗浄水貯蔵部９０を吹出可能に設置された後方収納部１３４、前記前後方収納部１３２、１３４を分離することになった隔壁１３６、前記隔壁１３６の上段中央部に設置されたヒンジ結合部１３８と、前記前後方収納部１３２、１３４の上部に位置して前記ヒンジ結合部１３８を軸にそれぞれ回動可能に設置される取っ手１７２を具備する前後方覆い１４０、１４２、駆動部ハウジング１４６、後段部に形成された後方排出凹溝１７０、前方部に形成された前方排出凹溝１７５、全面に配置された操作スイッチ及び開放ボタン１７７で構成されて前記尿貯蔵部６０と前記洗浄水貯蔵部９０と前記駆動部１２０及び前記制御部を内部に受け入れるようになったハウジング１３０で構成されて患者または老弱者が手軽に排尿ができるようにすることだ。
【０００７】
しかし、上記した特許第０３６７２３１号と第０３７４２３５号の“個人用集尿及びビデ装置”はハウジング１３０の尿貯蔵部６０にある空気排出口から放出される悪臭を除去する悪臭除去手段が備えられていなくて使用時に悪臭が出る欠点があった。
【０００８】
また、洗浄水貯蔵部９０が狭い入口と出口の開口部を備えて洗浄水貯蔵部９０内に水垢などが挟まって汚染される場合、これを洗浄できないという問題点があった。
【０００９】
また、一つの後方収納部１３４に尿貯蔵部６０の尿貯蔵箱６２と洗浄水貯蔵部９０の洗浄水貯蔵箱９８が共に受容されて尿貯蔵箱６２の注入口６４と洗浄水貯蔵箱９８の注入口が同一方向で隣接して洗浄水貯蔵箱９８の洗浄水が尿貯蔵箱６２の尿に汚染される憂慮も高いという問題点もあった。
【先行技術文献】
【特許文献】
【００１０】
【特許文献１】大韓民国特許第０３６７２３１号公報
【特許文献２】大韓民国特許第０３７４２３５号公報
【発明の概要】
【発明が解決しようとする課題】
【００１１】
本発明は、上記した従来個人用集尿及びビデ装置で引き起こされる色々な欠点及び問題点を解決しようと発明したこととして、その目的は、排尿時トイレを利用できない寝床依存患者の場合、患者自ら看病人の助けなしに排尿ができるようにして、腕を自由に使うことはできない患者でも看病人が容易に患者の排尿を助けられるようにして便利に使って、排尿後患者の排尿部位を洗浄水できれいに洗浄して看病人の助けなしでは一人の力で排尿部位を洗い難しい寝床依存患者の清潔を維持して、さらに泌尿器系感染を極小化することによって患者の心的負担及び経済的負担を減少させられるようにした自動集尿装置を提供することにある。
【００１２】
本発明の他の目的は、排尿部位洗浄後排尿部位に空気を伝達するようにすることによって、洗浄水によってぬれた患者の排尿部位を乾燥させて患者の清潔状態を維持するようにした自動集尿装置を提供するところにある。
【００１３】
本発明のまた他の目的は、ハウジングの尿貯蔵部に尿が貯蔵される尿貯蔵部内の空気排出口から放出される悪臭を除去する悪臭除去手段を具備して使用時に悪臭が出ない自動集尿装置を提供するところにある。
【００１４】
本発明のまた他の目的は、尿貯蔵部の尿貯蔵箱が受容される所と洗浄水貯蔵部の洗浄水貯蔵箱が受容される所のハウジングを分離させるとともに尿貯蔵箱を収容する開口部と洗浄水貯蔵箱を収容する開口部を下部左側と右側上部で同一方向にならないようにして洗浄水が尿貯蔵箱の尿で汚染される可能性を基本的に排除しながらも尿貯蔵箱と洗浄水貯蔵箱の掃除を容易にできる構造の自動集尿装置を提供するところにある。
【００１５】
本発明のまた他の目的は、尿収集器で水辺だけでなく洗浄水、消毒液などすべての液体の収集を感知してポンプを動作させることによって製品の信頼性を向上させるようにした自動集尿装置を提供するところにある。
【００１６】
本発明のまた他の目的は、尿収集器が排尿部位周りに滑らかに密着するようにすることによって、水密性を高めることと併せて使用者が安定感を感じて安らかに使用できるようにした自動集尿装置を提供するところにある。
【００１７】
本発明のまた他の目的は、尿収集器の総導管をハウジングから着脱可能にすることで、洗浄及び交替が容易にした自動集尿装置を提供するところにある。
【００１８】
本発明のまた他の目的は、排尿後患者の排尿部位を洗浄する時適当な温度で洗浄水を供給して患者が気軽に安らかに排尿部位を洗浄できるようにするとともに一定の温度以上で加熱されないように電源を遮断させる手段を備えて安全事故の憂慮なく安全に使用できる自動集尿装置を提供するところにある。
【課題を解決するための手段】
【００１９】
前記した目的を達成するために、本発明自動集尿装置は、使用者の小便を捕集して洗浄水を排尿部位で噴射する集尿部１０と；前記集尿部１０で捕集された小便を貯蔵する尿貯蔵部２１と、前記集尿部１０に使用される洗浄水を貯蔵する洗浄水貯蔵部２２と、前記集尿部１０の小便を前記尿貯蔵部２１に移動させて前記洗浄水貯蔵部２２の洗浄水を前記集尿部１０に移動させる駆動部２３と、前記駆動部２３の動作を制御する制御部２４と、フィルター部２５及び、前記尿貯蔵部２１の尿水位と洗浄水貯蔵部２２の洗浄水水位及び洗浄水の温度を感知するセンサーからなるハウジングセンサー部からなるハウジング２０及び；前記制御部２４の制御を操作して状態を確認できる操作パネル３０で構成されたのを特徴とする。
【発明の効果】
【００２０】
本発明は、排尿時トイレを利用できない寝床依存患者の場合、患者自ら看病人の助けることなく排尿ができるようにして、腕を自由に使うことはできない患者でも看病人が容易に患者の排尿を助けることができるようにして便利に使って、排尿後患者の排尿部位を洗浄水できれいに洗浄して看病人の助けなしでは一人の力で排尿部位を洗うのが難しい寝床依存患者の清潔を維持して、泌尿器系感染を極小化することによって患者の心的負担及び経済的負担を減少させることができて、排尿部位洗浄後排尿部位に空気を伝達するようにすることによって、洗浄水によってぬれた患者の排尿部位を乾燥させて患者の清潔状態を維持するようにして、ハウジングの尿貯蔵部に尿が貯蔵される尿貯蔵部内の空気排出口から放出される悪臭を除去する悪臭除去手段を具備して使用時に悪臭が出ないだけでなく尿貯蔵部の尿貯蔵箱が収容される所と洗浄水貯蔵部の洗浄水貯蔵箱が収容される所のハウジングを分離させるとともに尿貯蔵箱を収容する開口部と洗浄水貯蔵箱を収容する開口部を下部左側と右側上部で同一方向にならないようにして洗浄水が尿貯蔵箱の尿で汚染される可能性を基本的に排除しながらも尿貯蔵箱と洗浄水貯蔵箱の掃除を容易にできる格別の長所がある。
【図面の簡単な説明】
【００２１】
【図１】従来個人用集尿及びビデ装置の構成を示した分離斜視図、
【図２】本発明自動集尿装置の構成を示したブロック構成図、
【図３】本発明自動集尿装置の構成を示した斜視図、
【図４ａ】本発明にともなうハウジングの分解斜視図、
【図４ｂ】本発明にともなう尿貯蔵箱の本体とキャップ部の結合手段を示した図面、
【図５ａ】本発明の実施例にともなう尿収集部が結びついた女性用集尿カップの斜視図、
【図５ｂ】本発明の実施例にともなう尿収集部が分離した女性用集尿カップの斜視図、
【図５ｃ】本発明の実施例にともなうシリコンの鼻の部分が低いシリコン交替型女性用集尿カップの分解斜視図、
【図５ｄ】本発明の実施例にともなうシリコンの鼻の部分が低いシリコン交替型女性用集尿カップのシリコン下面を示した分解斜視図、
【図５ｅ】本発明の実施例にともなうシリコンの鼻の部分が高いシリコン交替型女性用集尿カップの分解斜視図、
【図５ｆ】本発明の実施例にともなうカップ本体の支持台に結合用突起が形成されて、シリコンの下面に結合孔が形成された状態を示した例示図、
【図５ｇ】本発明の実施例にともなうカップ本体の左右側全面に多数のしわ台が形成されて、シリコンの周りに多数のしわ帯が形成された形態を示した例示図、
【図６ａ】本発明にともなうシリコンの鼻の部分が低いシリコン交替型女性用集尿カップのシリコンの例示図、
【図６ｂ】本発明にともなうシリコンの鼻の部分が高いシリコン交替型女性用集尿カップのシリコンの例示図、
【図７ａ】本発明にともなう尿収集部が結びついた男性用集尿カップの斜視図、
【図７ｂ】本発明にともなう男性用集尿カップの分解斜視図、
【図７ｃ】本発明にともなう男性用集尿カップの一実施例を示した分解斜視図、
【図７ｄ】本発明にともなう男性用集尿カップの一実施例を示した分解斜視図、
【図８】本発明にともなうアダプタの分解斜視図、
【図９ａ】本発明の実施例にともなう尿貯蔵箱の分解斜視図、
【図９ｂ】本発明の実施例にともなう尿貯蔵箱の分解斜視図、
【図９ｃ】本発明の実施例にともなう尿貯蔵箱の分解斜視図、
【図９ｄ】本発明の実施例にともなう尿貯蔵箱の分解斜視図、
【図９ｅ】本発明の実施例にともなう尿貯蔵箱の分解斜視図、
【図９ｆ】本発明の実施例にともなう尿貯蔵箱の分解斜視図、
【図１０】本発明自動集尿装置を壁掛け式で構成した例示図、
【図１１】本発明にともなう円盤状ヒーターの設置状態を説明するための分解斜視図、
【図１２ａ】本発明にともなう悪臭除去用フィルターの一部切開分解斜視図、
【図１２ｂ】本発明にともなう悪臭除去用フィルターの断面図、
【図１３ａ】本発明にともなうフィルター部の一実施例の構成を示した図面、
【図１３ｂ】本発明にともなうフィルター部の一実施例の構成を示した図面、
【図１４】本発明にともなうアダプタとハウジングの結合状態を説明するための図面、
【図１５】本発明にともなう車椅子装着手段の斜視図、
【図１６】本発明にともなう車椅子装着手段の使用状態図、
【図１７】本発明にともなうガードルを使用した集尿カップの使用状態図、
【図１８ａ】本発明にともなう女性用Ｘガードルの構成図、
【図１８ｂ】本発明にともなう女性用Ｘガードルを使用した集尿カップの使用状態図、
【図１９ａ】本発明にともなう男性用Ｘガードルの構成図、
【図１９ｂ】本発明にともなう男性用Ｘガードルを使用した集尿カップの使用状態図である。
【発明を実施するための形態】
【００２２】
以下、添付図面を参照して本発明自動集尿装置の好ましい実施例を詳細に説明する。
【００２３】
図１は、従来個人用集尿及びビデ装置の構成を示した分離斜視図、図２は、本発明自動集尿装置の構成を示したブロック構成図、図３は、本発明自動集尿装置の構成を示した斜視図、図４ａは、本発明にともなうハウジングの分解斜視図、図４ｂは、本発明にともなう尿貯蔵筒の本体とキャップ部の結合手段を示した図面、図５ａは、本発明の実施例にともなう尿収集部が結びついた女性用集尿カップの斜視図、図５ｂは、本発明の実施例にともなう尿収集部が分離した女性用集尿カップの斜視図、図５ｃは、本発明の実施例にともなうシリコンの鼻の部分が低いシリコン交替型女性用集尿カップの分解斜視図、図５ｄは、本発明の実施例にともなうシリコンの鼻の部分が低いシリコン交替型女性用集尿カップのシリコン下面を示した分解斜視図、図５ｅは、本発明の実施例にともなうシリコンの鼻の部分が高いシリコン交替型女性用集尿カップの分解斜視図、図５ｆは、本発明の実施例にともなうカップ本体の支持台に結合用突起が形成されて、シリコンの下面に結合孔が形成された状態を示した例示図、図５ｇは、本発明の実施例にともなうカップ本体の左右側全面に多数のしわ台が形成されて、シリコンの周りに多数のしわ帯が形成された形態を示した例示図、図６ａは、本発明にともなうシリコンの鼻の部分が低いシリコン交替型女性用集尿カップのシリコンの例示図、図６ｂは、本発明にともなうシリコンの鼻の部分が高いシリコン交替型女性用集尿カップのシリコンの例示図、図７ａは、本発明にともなう尿収集部が結びついた男性用集尿カップの斜視図、図７ｂは、本発明にともなう男性用集尿カップの分解斜視図、図７ｃは、本発明にともなう男性用集尿カップの一実施例を示した分解斜視図、図７ｄは、本発明にともなう男性用集尿カップの一実施例を示した分解斜視図、図８は、本発明にともなうアダプタの分解斜視図、図９ａないし図９ｆは、本発明の実施例にともなう尿貯蔵箱の分解斜視図、図１０は、本発明自動集尿装置を壁掛け式で構成した例示図、図１１は、本発明にともなう円盤状ヒーターの設置状態を説明するための分解斜視図、図１２ａは、本発明にともなう悪臭除去用フィルターの一部切開分解斜視図、図１２ｂは、本発明にともなう悪臭除去用フィルターの断面図、図１３ａは、本発明にともなうフィルター部の一実施例の構成を示した図面、図１３ｂは、本発明にともなうフィルター部の一実施例の構成を示した図面、図１４は、本発明にともなうアダプタとハウジングの結合状態を説明するための図面、図１５は、本発明にともなう車椅子装着手段の斜視図、図１６は、本発明にともなう車椅子装着手段の使用状態図、図１７は、本発明にともなうガードルを使用した集尿カップの使用状態図、図１８ａは、本発明にともなう女性用Ｘガードルの構成図、図１８ｂは、本発明にともなう女性用Ｘガードルを使用した集尿カップの使用状態図、図１９ａは、本発明にともなう男性用Ｘガードルの構成図、図１９ｂは、本発明にともなう男性用Ｘガードルを使用した集尿カップの使用状態図として、使用者の小便を捕集して洗浄水を排尿部位で噴射する集尿部１０と；前記集尿部１０で捕集された小便を貯蔵する尿貯蔵部２１と、前記集尿部１０に使用される洗浄水を貯蔵する洗浄水貯蔵部２２と、前記集尿部１０の小便を前記尿貯蔵部２１に移動させて前記洗浄水貯蔵部２２の洗浄水を前記集尿部１０に移動させる駆動部２３と、前記駆動部２３の動作を制御する制御部２４と、フィルター部２５及び、前記尿貯蔵部２１の尿水位と洗浄水貯蔵部２２の洗浄水水位及び洗浄水の温度を感知するセンサーからなるハウジングセンサー部からなるハウジング２０及び；前記制御部２４の制御を操作して状態を確認できる操作パネル３０で構成されている。
【００２４】
前記集尿部１０は、使用者の人体側に採用される尿収集部１２と；前記尿収集部１２とアダプタ１４が連結された総導管１３及び；前記ハウジング２０に結びつくアダプタ１４で構成されている。
【００２５】
前記尿収集部１２は、放射される小便を捕集する集尿カップ１１の開口部１１ａ内部に挿入されて集尿カップ１１を着脱させる構造と尿センサー部１２ａの回転が可能なように捉えて洗浄水を噴射する開口部１２ｄが設置された尿収集頸部１２ｂと；総導管１３と連結された尿収集体部１２ｃで構成されている。
【００２６】
前記尿収集頸部１２ｂは、集尿カップ１１内部に挿入されて集尿カップ１１を脱付着できる構造で尿センサー部１２ａの回転が可能な構造を備えていて、洗浄水が噴射されて乾燥風が出ている開口部１２ｄを持っている。前記尿収集体部１２ｃは、尿収集頸部１２ｂと一体や集尿カップ１１を結合する場合集尿カップ１１外部で突出した部分をいうことで総導管１３と連結される機能を遂行する。
【００２７】
前記集尿部１０の集尿カップ１１は、前記センサー部１２ａが回転可能な空間を確保したカップ本体１１ｂと、使用者の人体側に採用されて交替可能で人体に無害なシリコン１１ｄまたはラテックス素材からなるのが好ましい。
【００２８】
また、前記集尿カップ１１は、女性用と男性用に区分されて、女性用集尿カップ１１は、上部に尿収集用開口部１１ａを持って下面が半円状を成し、全面が開放されたカップ本体１１ｂに中央部が開口されたシリコン１１ｄが挿入されたままリング状の固定手段１１ｅが挿入融着されて前記カップ本体１１ｂとシリコン１１ｄ及び固定手段１１ｅが一切を成し女性用で使われる。
【００２９】
前記固定手段１１ｅの上部側に設置されたちょうつがいｓを介してカップ本体１１ｂの全面開放部を覆う覆いｔを設置して悪臭を防止することが好ましい。
【００３０】
そしてシリコン分離型の場合には前記集尿カップ１１のカップ本体１１ｂにある支持台１１ｆに結合孔１１ｇがあってシリコン１１ｄの下面に結合用突起１１ｆ’が形成されている場合として、その結合方向が前後方向けで脱付着される場合と側面方向で脱付着される２種類の場合で分けることができる。
【００３１】
ここで前記結合孔１１ｇと結合用突起１１ｆ’は、よろいのさねの形態で形成して結合用突起１１ｆ’が側面に挿入された後容易に抜けないように形成されたのが好ましくて、前記シリコン１１ｄは、鼻の部分１１ｈ高さを高いのと低いこと［突起１１ｆ’が形成された底面での垂直距離が長いのと短いこと］で多様化することによって女性の会陰部への接触感を向上させることができ、前記結合用突起１１ｆ’と結合孔１１ｇの代わりにジッパーバックを構成してシリコン１１ｄを交替できるようにすることでもなって、このようにシリコン１１ｄを交替できる構造ですれば、支持台１１ｆに固定されたシリコン１１ｄだけを交替して使用できることになる。
【００３２】
また、前記とは反対に集尿カップ１１のカップ本体１１ｂにある支持台１１ｆによろいのさねの形態で結合用突起１１ｆ’を形成して、シリコン１１ｄの下面に結合孔１１ｇを形成することもできる。
【００３３】
前記シリコン１１ｄは、集尿カップ１１の開口部１１ａ上に登っていくようにその長さが延長されて、シリコン１１ｄを数枚重なってる多重刃１１ｄ’構造で形成されている。
【００３４】
前記シリコン１１ｄは、カップ本体１１ｂの左右側全面に多数のしわ台１１ｓが形成されて、シリコン１１ｄの開口部周りに多数のしわ帯１１ｔが形成されたものであってもよい。
【００３５】
前記のように、シリコンを集尿カップから容易に分離交替することがあるので集尿カップ１１全体を新しく購入することに比べて費用を節減できて、シリコン１１ｄの全面に塗布される粘性タイプ医療用シリコンのコーティング面積が増大されて陰部に容易で簡便に接着して使用できるだけでなくシリコン結合部に挟まれた汚物が防止されるため集尿カップ１１を衛生的に管理することができる。
【００３６】
また、前記カップ本体１１ｂは、透明体にして集尿カップを人体会陰部に付着着用時目で見ながら付着することができるようにすることが好ましい。
【００３７】
一方、男性用集尿カップ１１は、上部に総導管１３に連結された尿収集部１２が挿入される開口部１１ｈと下部に内側面に沿って結合用突起リングが形成されている指めき形締結部１１ｊを持つカップ本体１１’と；一側端部が内側面に沿って結合用突起リングが形成されて結合用リング掛け１１ｋを成し、他側端部が陰茎が挿入されるしわ管体１１”及び；前記カップ本体１１’としわ管体１１”を結合する結合手段１１ａ’で構成されている。
【００３８】
前記しわ管体１１”は、一側面中央部に貫通孔１１ｋ’が形成されたものであっても、一側面端部が切開された切開部１１ｋ”が形成されたものであってもよい。
【００３９】
また、前記しわ管体１１”の下段部一側に設置されたちょうつがいｓ’を介してしわ管体１１”の開放部を覆う覆いｔ’を設置して悪臭を防止することが好ましい。
【００４０】
前記結合手段１１ａ’は、上部外周縁に沿って前記指めき形締結部１１ｊの結合用で形成された上部溝１１ｂ’と、下部外周沿に沿って前記リング掛け１１ｋの結合用で形成された下部溝１１ｂ”と、前記上下部溝１１ｂ’，１１ｂ”の間のリングボディー１１ｃ’と、前記リングボディー１１ｃ’の外周縁に沿って一定の間隔で形成されたガードル掛け１１ｄ”及び、前記リングボディー１１ｃ’の一側外面にＵ字形状で形成された総導管固定具１１ｅ’で構成されている。
【００４１】
ここで前記しわ管体１１”は、端部で内側で一定の幅のシリコン薄膜が形成されて、薄膜に切開部１１ｋ”を形成することが好ましい。
【００４２】
前記カップ本体１１’は、ゴムまたは軟質の材質を使用うことが好ましいがプラスチックのような硬質の材料も関係ない。前記しわ管体１１”は、コンドームと同じラテックスまたはビニールを使って蛇腹式で形成することが好ましい。前記円筒管体１１”の薄膜１１ｋ”の代わりに端部側内面には粘性（sticky）タイプの医療用シリコンがコーティングされて男性性器亀頭後方に接着して使って必要に応じて男性用ガードルを補助的に使っても関係ない。
【００４３】
ここで前記センサー部１２ａに付着したセンサーでは静電式センサーまたは電極式センサーを好ましく使用できて、センサー部１２ａのセンサー線が尿収集頸部１２ｂ間に連結されてもセンサー部１２ａの回転が円滑なようにセンサー部１２ａと尿収集頸部１２ｂ内部にフレキシブル（flexible）ＰＣＢに連結されることが好ましい。
【００４４】
前記総導管１３は、小便が移送される導尿管１３ａと、洗浄水が移送される洗浄水管１３ｂ及びセンサーの信号伝送用センサー管１３ｃが一つの管内で分離して形成された三重管構造で形成されている。
【００４５】
また、前記総導管１３は、センサー管１３ｃが別個で分離して尿収集部１２とアダプタ１４と直接連結されて、小便が移動する導尿管１３ａと洗浄水が移動する洗浄水管１３ｂが内部にそれぞれ別に形成された二重管で形成されてもいい、前記総導管１３は、センサー管１３ｃが別個で分離して尿収集部１２とアダプタ１４と直接連結されて小便が移動する導尿管１３ａと洗浄水が移動する洗浄水管１３ｂがそれぞれ独立的に分離して単一管で形成されてもいい、ここで前記総導管１３は、前記尿収集部１２とアダプタ１４の末端から分離交替が可能な構造を成し総導管１３を容易に交替できることが衛生的な管理に好ましい。このように各導管の衛生的交替の目的を達成するために総導管１３を構成している導尿管１３ｂ、洗浄水管１３ｂ、センサー管１３ｃ全部それぞれ分離している構造も可能である。
【００４６】
前記アダプタ１４は、尿収集部１２が総導管１３と連結された反対側端部に連結されて形成された構造であり、ハウジング２０の結合部材２０ａに結びつく。前記アダプタ１４は、前記総導管１３の端部が連結されるアダプタ上側部１４ａと；尿の異質物を濾過する濾過部１４ｂ及び；前記濾過部１４ｂを固定するアダプタ下側部１４ｃで構成されている。
【００４７】
前記アダプタ上側部１４ａは、円筒状の空間部１５底面中央に導尿管開口部１５ｂと洗浄水管開口部１５ａが形成されていて、前記アダプタ上側部１４ａの外周縁にセンサージャック１５ｃが設置されて、底面にある中空部に導尿管開口部１５ｂと洗浄水管開口部１５ａが形成されて、中央部にはロック手段１５ｄが形成されている。
【００４８】
また、前記濾過部１４ｂは、底面を成し円形板体の外周部が円筒状を成し形成される中空部１６と；前記底面で中空部１６内外で突出形成される洗浄水管１３ｂ’と；前記中空部１６外側底面上に突出形成された導尿管１３ａ’及び；前記中空部１６内側底面で一定空間を浮かんで左右面が密着固定される濾過網１７で構成されている。
【００４９】
ここで前記濾過部１４ｂは、アダプタ上側部１４ａに常に一定の位置に挿入されるほかはないように翼または隔壁が設置されていることが好ましい。
【００５０】
前記濾過部１４ｂは、濾過網１７の異物質濾過状態を確認できるように透明体であることが好ましくて、前記空間部１５を成し円筒体の端部側外周沿に沿って溝１５ｅを形成して溝１５ｅにパッキング１５ｅ’を挿入設置して、前記中空部１６外側底面上に突出形成される導尿管１３ａ’と洗浄水管１３ｂ’それぞれの端部側外周沿に沿って溝１５ｆ、１５ｇを形成して溝１５ｆ、１５ｇにそれぞれにパッキング１５ｆ’、１５ｇ’を挿入設置することがアダプタ上側部１４ａと濾過網１７の結合部及び結合部材２０ａとの連結部での漏洩を防止できて好ましい。
【００５１】
前記ハウジング２０の尿貯蔵部２１と洗浄水貯蔵部２２は、互いに分離した空間に設置されて、尿貯蔵箱２１ａが挿入される尿貯蔵部２１の開口部と洗浄水貯蔵２２の開口部が前記ハウジング２０の同一方向に形成されていなくて洗浄水貯蔵部２２に貯蔵された洗浄水が尿貯蔵箱２１ａの尿に汚染される可能性が基本的に排除されている。
【００５２】
ここで前記尿貯蔵部２１の尿貯蔵箱２１ａは、本体２１ａ’とキャップ部２１ｂでからなるハウジング内部に存在して前記本体２１ａ’の上部面に溝２１ｔが形成されて前記溝２１ｔの内側端部にセンサー挿入溝２１ｓが形成されて、駆動部２３の中央下面に突出する静電式センサー２３ｄが装着された構成となっている。
【００５３】
前記悪臭除去用フィルター手段２１ｃの最も望ましい位置は、尿貯蔵筒も可能だが図４ａに表記されたことのようにハウジング内側のフィルター手段収納空間２１ｃ’だ。
【００５４】
前記ハウジング２０は、前記尿貯蔵部の結合方法により大きく二つの施例で区分して説明することができる。すなわち、図４ａ、図４ｂで図示したことのように横型尿貯蔵部結合方式と図１０に図示したことのように縦型尿貯蔵部結合方式で分けることができる。
【００５５】
前記横型尿貯蔵部２１のハウジングの場合は部屋の床に置いて使用するオンドル式室内構造に適合して縦型の場合は壁掛け式でベッドを使う場合に便利に使用することができる。
【００５６】
横型尿貯蔵部の場合は、二つ実施例で説明することができる。
【００５７】
第一に、尿貯蔵箱２１ａは、図４ｂに示すように、本体２１ａとキャップ部２１ｂで成って横方向でハウジングに挿入されてヒンジ２１ｅ’とロック輪２１ｅ”を具備する結合手段２１ｅにより結合固定される。
【００５８】
第二に、尿貯蔵箱２１ａが１回用貯蔵ビニールパックＡを盛る構造の単純な鉢Ｂで構成されて横方向にハウジングに挿入する構造である（図９ｂを参照）。
【００５９】
前記縦型尿貯蔵部ハウジングの場合は、尿貯蔵箱の結合方向により大きく三つで区分することができる。すなわち、前後方向脱着方式（図９ｃ）、左右（側面）方向脱着方式（図９ｄ）、上下方向脱着方式（図９ｅ）が挙げられる。
【００６０】
このうち最も好ましい実施例は、左右（側面）方向脱着方式で尿貯蔵部の覆いが尿貯蔵部の下段を基準に回転し、覆いが開閉される構造で、開放された覆い内側に尿貯蔵箱を挿入して覆いを閉じれば自動でハウジングと尿貯蔵箱が結合された構造である（図９ｆ）。また尿貯蔵箱２１ａをハウジング２０に覆い回転式で装着することもできる。
【００６１】
前記縦型尿貯蔵部ハウジングの場合は、図９ｃと一緒に尿貯蔵箱が全て１回用ビニールパックで構成されて脱着するように構成してもよい。
【００６２】
前記の通り言及された尿貯蔵部２１の尿貯蔵箱２１ａの本体２１ａ’と１回用ビニールパックには尿量を測定できる目盛りを形成することが好ましい。
【００６３】
悪臭除去用フィルターの位置は、前記説明された尿貯蔵部の尿貯蔵箱のキャップ部に位置することができるが最も好ましいのはハウジング内部に着脱される構造である。
【００６４】
また、前記洗浄水貯蔵部２２の底面には、温度感知センサー２２ａと洗浄水フィルター２２’、水位センサー２２”及びヒーター板２２ｂが設置されていて、温度感知センサー２２ａとヒーター板２２ｂで洗浄水の温度を陰部の周囲を洗浄するのに適合した温度で維持できるようにするのが好ましくて、洗浄水の乱高下するのを防止するため、内部に補助覆いを設置することが好ましい。
【００６５】
ここで前記洗浄水貯蔵部２２の底面にヒーター板２２ｂと別に超音波発生手段を備させて加湿器の機能を持つようにすることも可能であり、前記尿貯蔵部２１の尿貯蔵箱２１ａを鉢形態にして１回用ビニールパックを盛り込むことができるようにしてもかまわなくて、前記尿貯蔵部２１の尿貯蔵箱２１ａの本体２１ａ’に尿量を測定できる目盛りを形成してもかまわなくて、前記洗浄水貯蔵部２２底面に洗浄水水位を感知するために水位センサー２２”を設置することが好ましくて、洗浄水貯蔵部覆い２２ｆと補助覆いによって洗浄水の外部の流れが防止されている。
【００６６】
前記ヒーター板２２ｂの下段には、ヒーター板を加熱するセラミックヒーター２２ｄとバイメタル２２ｅが設置されていて、セラミックヒーター２２ｄがヒーター板２２ｂに密着して付着するようにセラミックヒーター２２ｄ下側に熱に変成が少ない金属板材スプリングが設置されることが好ましい。
【００６７】
前記洗浄水貯蔵部２２の底面には、温度感知センサー２２ａが設置されてヒーター板２２ｂにより洗浄水が体温に適合した温度で加熱または制御される。前記温度感知センサー２２ａが正常作動しない場合、ヒーター板２２ｂ下側のセラミックヒーター２２ｄの過熱で生じる低温火傷を予防するために並行設置されたバイメタル２２ｅによりセラミックヒーター２２ｄに供給される電源を遮断して洗浄水の温度が火傷の危険がない適切な温度以下で制御される。
【００６８】
前記洗浄水フィルター２２’は、図１２ａ及び図１２ｂに図示したように、円筒状の貫通孔２２ａ’、２２ａ”が形成されたメインボディー２２ｇと；前記貫通孔２２ａ”下部側メインボディー２２ｇに挿入されて固定される濾過網２２ｂ’と；前記貫通孔２２ａ’上部中央側メインボディー２２ｇに形成された要溝２２ｃ’に挿入される突起部２２ｄ”を備する一方向開閉板２２ｄ’と；前記開閉板２２ｄ’上のメインボディー２２ｇに挿入されて前記開閉板２２ｄ’の突起部２２ｄ”を固定するとともに開閉板２２ｄ’の開きを制限する開閉板固定リング２２ｅ’及び；前記メインボディー２２ｇの上面を覆う内部に中空部２２ｆ”を備するフィルター覆い２２ｆ’で構成されている。
【００６９】
前記駆動部２３は、前記尿収集部１２の尿を尿ホースを介して尿貯蔵部２１の尿貯蔵箱２１ａに移動させる尿吸入ポンプ２３ａと；前記洗浄水貯蔵部２２に貯蔵された洗浄水を洗浄水ホースを介して上記総導管１３の洗浄水管１３ｂに移動させる洗浄水ポンプ２３ｂ及び；前記総導管１３の洗浄水管１３ｂで乾燥空気を洗浄水ホースを介して供給する乾燥ポンプ２３ｃで構成されている。
【００７０】
ここで前記洗浄水ホースは、洗浄水の通路と乾燥空気の通路で兼用して使用されるため、その連結部にはＴ管を使用することが好ましい。
【００７１】
前記制御部２４は、マイクロプロセッサーを備して前記操作パネル３０の操作設定によって設定されたプログラムによって本発明自動集尿装置の各部の動作を制御して、各部の操作状態及び動作状態は、前記操作パネル３０上のディスプレイ画面上に表示される。
【００７２】
また、前記制御部２４は、各部の操作状態及び動作状態をスピーカーを介して音声で案内したり、音楽やその他音源を送出して示すこともできる。
【００７３】
前記フィルター部２５は、内部に悪臭除去用フィルターが内蔵される筒体２５ａと；尿貯蔵箱２１ａと連結される貫通孔２１ａ”に設置される尿逆流遮断手段２５ｂ及び；多数の空気排出口２５ｃで構成されて前記尿貯蔵部２１の尿貯蔵箱２１ａに尿が満たされる過程で同時に尿貯蔵箱２１ａ外に押し出された空気の悪臭を除去するためのものとして、筒体２５ａの内部にジグザグで備してフィルターの表面積を増やし、フィルター機能を最大化するように設置された多数個の隔板２５ａ’と；筒体２５ａと隔板２５ａ’でなされた空間に挿入されたフィルター内蔵材と；尿貯蔵箱２１ａから悪臭を内包した空気が押し出された貫通孔２１ａ”と着脱されるように設置される尿逆流遮断手段２５ｂ及び；多数の空気排出口２５ｃで構成されている。
【００７４】
前記尿逆流遮断手段２５ｂは、内部に中空部を持つ円筒体２５ｂ’と；前記円筒体２５ｂ’内に挿入される移動球２５ｂ”でなされて集尿装置が揺れたり傾かせて設置された場合尿が揺らしながら尿貯蔵箱２１ａの貫通孔２１ａ”で尿が逆流されかねず、この場合逆流される尿により移動球２５ｂ”が浮上して尿逆流遮断手段２５ｂ上部の円筒体開口孔２５ｆを防ぐように構成されている。
【００７５】
前記移動球２５ｂ”は、上部球体２５ｄと下部放射状で一定の角度の間隔を置いて形成された翼２５ｅで構成されている。
【００７６】
ここで前記悪臭除去用フィルターでは、バイオフィルター、活性炭繊維フィルター、炭フィルターのうちどれひとつまたは少なくとも一つ以上を兼用として使用することができ、フィルターの構造をモジュール化してハウジング２０内部または尿貯蔵箱２１ａ内に着脱を簡便にすることでフィルターの交換を容易にすることが好ましい。
【００７７】
また、前記ハウジングセンサー部は、尿満積の有無を感知するセンサーがハウジング２０内部に設置されて前記本体２１ａ’の上部面中央部位を感知する静電式センサー２１ｄと；洗浄水の不足の有無を感知するために前記洗浄水貯蔵部２２の底面に設置されて洗浄水の水位を検出する洗浄水水位感知センサー及び；前記洗浄水貯蔵部２２底に設置されて洗浄水の温度を検出する温度感知センサーを称する。
【００７８】
ここで前記水位感知センサーでは、静電式センサー、電極式センサー、光センサー、磁場センサーなどを使用することができる。
【００７９】
前記操作パネル３０は、タッチスクリーンとして、各部の操作状態及び動作状態を示すディスプレイ画面３１と；自動／手動洗浄ボタン３２、３２’；温水／乾燥ボタン３３、３３’；連続洗浄選択ボタン３４；測定リセットボタン３５；測定モード転換ボタン３６及び；夜間モードボタンで構成されている。
【００８０】
ここでディスプレイ画面３１には、排尿回数と洗浄水量が表示されるだけでなく本発明自動集尿装置の異常状態を示して、警告文字を表記して、スピーカー等を通じて警告音を発したりまたは音声案内及び排尿吸入時自然の声及び各種音楽を演奏できるように追加で構成することが好ましい。
【００８１】
そして本発明は、前記した本発明自動集尿装置を車椅子に装着できるように車椅子装着手段４０を追加で備することが好ましくて、この時、前記車椅子装着手段４０は、本発明自動集尿装置を入れることができる底板４１ａと壁体４１ｂになる筒体４１と；前記筒体４１の端に一定の間隔で形成されたベルト孔４２及び；前記ベルト孔４２に挿入されて車椅子に縛るようになる多数のベルトで構成されて、前記筒体４１と分離して物品を収納できる道具収納部４３が追加で構成されている。
【００８２】
また、本発明は、ハウジング２０内に充電式バッテリーを内蔵させて電源の供給が円滑でないところでも使用できるようにすることが好ましい。
【００８３】
そして、本発明にともなう集尿部１０の集尿カップ１１を着用するために使用する図１８ａに図示したとおり女性用ＸガードルＧは、左右側前面に形成された多数のバンド輪ａと一側端部の前面と他側端部の後面にそれぞれ形成されたベルクロテープｂ、ｂ’及び一側端部側前面にＸバンド固定ボタンｂ”を備して、背面にパッドｐ、ｐ’が内蔵された腰バンドＣと；端部に締結手段ｃ、ｃ’を備する後面ひもｄ、ｄ’と、端部に締結手段ｅ、ｅ’を備する前面ひもｆ、ｆ’と、前記後面ひもｄ、ｄ’の間に連結される支持帯ｇと、上記全面ひもｆ、ｆ’の間に連結されるホース固定ボタン設置帯ｈと、前記ホース固定ボタン設置帯ｈに形成されて長さ方向で多数の固定ボタン挿入口を持つボタン挿入台ｉ及び、前記ボタン挿入台ｉの一側端部に固定されたホース固定ボタンｊでかなって前記後面ひもｄ、ｄ’と前面ひもｆ、ｆ’がＸ字状で交差連結されたＸバンドＫで構成されている。
【００８４】
一方、男性用ＸガードルＧは、図１９ａに図示したように前記した女性用ＸガードルＧの構成とほとんど同一で、一部後面ひもｄ、ｄ’と前面ひもｆ、ｆ’がＸ字状で交差する交差の部分の構成だけ異なるので、同一の構成部分には、同じ符号を付けてその説明を省略して、相異なった部分に対してだけ説明する。
【００８５】
すなわち、男性用ＸガードルＧは、後面ひもｄ、ｄ’と前面ひもｆ、ｆ’がＸ字状で交差する交差の部分ｍを上部は狭く下部は広く形成して前記交差の部分ｍの中央に穴ｎを形成して、前記穴ｎの上部外面側交差の部分ｍには二重布を形成して、前記穴ｎの内面側外周沿って一定の間隔で男性用集尿カップ１１のガードルかけ１１ｄ”にかかっている輪ｏを形成して、前記穴ｎの下の交差の部分ｍに多数の固定ボタン挿入口を持つボタン挿入台ｉ及び、前記ボタン挿入台ｉの一側端部に固定されたホース固定ボタンｊを形成した構成で形成されている。
【００８６】
次には、前記したように構成された本発明自動集尿装置の動作に対する説明でその作用を詳細に説明する。
【００８７】
本発明自動集尿装置は、主に挙動が不便な患者に使用するものとして、先に集尿部１０の集尿カップ１１を図１７に図示したように使用者（女性）の陰部に位置させてガードルＸを着用して集尿カップ１１を使用者（女性）の陰部に固定させて、肛門の周囲の皮膚に大便袋Ｙを付着する。
【００８８】
この時、ガードルＸの着用の有無は、人体会陰部に接触する集尿カップのシリコン表面に粘性（sticky）タイプの医療用シリコンがコーティングされた可否により決定される。すなわち、粘性タイプ医療用シリコンがコーティングされていない場合は、患者が排尿認識があって排尿時自ら集尿部を手で握って会陰部に当てて自ら排尿する時に使うことが適合してこの場合はガードルＸを並行使用する必要がない。
【００８９】
しかし使用者が尿失禁と一緒に排尿認識がない場合、集尿部が人体会陰部に常に接着していなければならないのでシリコンに粘性タイプ医療用シリコンがコーティングされて使用することが好ましくて、この場合必要に応じてガードルを補助的に使用することができる。
【００９０】
また、図６ａないし図６ｂに図示したようにシリコン１１ｄを何枚重なる多重刃１１ｄ’構造にすることもできる。多重刃の場合、必要に応じて各刃を境界みなして粘性タイプ医療用シリコンをコーティングすることができる。
【００９１】
そして、図１８ａ及び図１８ｂに図示したように女性用ＸガードルＧを使用する場合には、後面ひもｄ、ｄ’それぞれを両側にある内側バンド輪ａと外側バンド輪ａを全部通過するようにした後腰バンドＣを覆して広げておいて、ＸバンドＫの交差の部分中央に患者のお尻中央部が位置するように患者を寢かせ、次いでベルクロテープｂ、ｂ’をつけて腰バンドＣを適切に締めてつけて、後面ひもｄ、ｄ’を締結手段ｃ、ｃ’で締結して後面ひもｄ、ｄ’の終端を引っ張って調節した後前面ひもｆ、ｆ’を腹部方向に引いてあげる。その次腰バンドＣの締結で両側それぞれでさらに内側に位置するバンド輪ａに前面ひもｆ、ｆ’それぞれを通過させて締結手段ｅ、ｅ’で締結した後前面ひもｆ、ｆ’の終端を引っ張って調節する。この時、前面ひもｆ、ｆ’の調節は、ＸバンドＫの交差の部分が会陰部を正確に覆うように調節する。この状態でＸバンドＫの交差の部分とホース固定ボタン設置帯ｈの間で集尿カップ１１を入れて集尿カップ１１のシリコン１１ｄの開孔部を会陰部に一致させた後前記後面ひもｄ、ｄ’と前面ひもｆ、ｆ’をさらに調節して、尿収集部１２を集尿カップ１１の開口部１１ａに挿入して結合した後ホース固定ボタンｊでホースを固定して使用することになる。
【００９２】
一方男性の場合は、図１９ａ及び図１９ｂに図示したように男性用集尿カップ１１のガードルかけ１１ｄ”にＸガードルＧの輪ｏをかけてくれて、集尿カップ１１の管体１１ｋ’内に陰茎を挿入する場合を除いて前記した女性用ＸガードルＧの着用状態と同一なのでその詳細な説明を省略する。
【００９３】
この状態でアダプタ１４をハウジング結合部材２０ａに連結した後本発明自動集尿装置を作動させる。
【００９４】
使用者が排尿すれば、集尿部１０の尿収集部１２に集尿なって、集尿させた尿を尿感知センサーが感知して感知信号を制御部２４で伝送して、制御部２４は、この感知信号によって使用者が排尿したと判断して制御部２４のマイクロプロセッサーに設定されたプログラムにより駆動部２３を動作させて総導管１３の導尿管１３ａを介して吸入して尿貯蔵部２１で移送する。
【００９５】
尿収集部１２内に尿がなくなれば、尿を尿感知センサーがこれを感知して制御部２４を介して尿吸入駆動部の動作を停止させる。ひきつづき制御部２４は、洗浄水駆動部を動作させて総導管１３の洗浄水管１３ｂを介して洗浄水を移送して尿収集頸部１２ｂの開口部１２ｄを介して噴射して会陰部を洗浄する。噴射された洗浄水は、再び尿感知センサーが感知して制御部２４の制御で尿吸入駆動部によって総導管１３の導尿管１３ａで吸入されて尿貯蔵部２１の尿貯蔵箱２１ａで移送される。洗浄水駆動が終了すれば、乾燥駆動部が動作して会陰部を乾燥させる一連の過程で集尿装置は、自動で作動することになる。
【００９６】
ここで前記洗浄水では、図１２ａ及び図１２ｂに図示したように悪臭除去用フィルター２２’で濾過された洗浄水が使用されて、洗浄水は、図１２ｂに示した矢印方向で流れながら、濾過される。すなわち、濾過網２２ｂ’を通過して濾過された洗浄水は、中空部２２ｆ”と開閉板固定リング２２ｅ’の開孔部を経て流れて開かれた開閉板２２ｄ’を通過して流れることになる。この時、開閉板２２ｄ’は、洗浄水が矢印方向で流れれば、図面で２点鎖線で示したように開かれることになるか、その反対方向すなわち、上方で流れることになれば、開閉板２２ｄ’が開閉板固定リング２２ｅ’にかかって閉じられた状態を維持することになるので洗浄水の逆流を防止することになる。
【００９７】
また、洗浄水ホースは、乾燥空気を供給するホースと兼用で使われる。
【００９８】
このように作用する本発明自動集尿装置は、操作パネル３０上の各部操作状態及び各部の動作状態がディスプレイ画面３１上に表示されて使用者は、ディスプレイ画面３１を見て直ちにその状態を把握できることになる。すなわち、使用者は、操作パネル３０上の当該のボタンをタッチして自動集尿装装置を作動させる。例えば自動洗浄ボタン３２をタッチすれば、前記で説明した一連の過程が自動で行われる。自動洗浄機能を活性化させない場合は、排尿時尿吸入機能だけ実行することになる。また、手動洗浄ボタン３２’をタッチすれば、いつでも洗浄機能が実行される。温水機能を活性化させれば、セラミックヒーターを介して体温と適合した温度で洗浄水が暖められる。乾燥ボタン３３’を介して季節により使用者に適合した乾燥機能の強弱が調整されて、このような各種ボタンを具備する操作パネル３０は、タッチスクリーン形態で実現することが好ましい。
【００９９】
また、ハウジング２０内部に設置されて尿貯蔵部２１の本体２１ａ’上部面中央部位を感知する尿水位感知センサーは、静電式センサー２１ｄが好ましい。前記尿水位感知センサー２１ｄは、尿水位を感知して尿貯蔵箱２１ａの尿満積の有無を認識して、尿が満積なる場合、操作パネル３０のディスプレイ画面３１または、スピーカーまたは、並行して尿貯蔵箱２１ａを空けることを警告する。このような機能により尿貯蔵箱２１ａがあふれる前に使用者が適切に尿貯蔵筒２１ａを空けて再び使えるようにする。
【０１００】
そして洗浄水貯蔵部２２の底面に設置された洗浄水水位感知センサーが洗浄水の水位を検出してその結果をディスプレイ画面３１または、スピーカーまたは、両者並行して警告することによって使用者は、洗浄水貯蔵部２２に洗浄水が不足することを把握して洗浄水を適切に補充することになる。
【０１０１】
また、前記洗浄水貯蔵部２２底に設置された温度感知センサーが定期的に温度を測定して制御部２４を介してセラミックヒーター２２ｄの発熱程度を自動で調節する。もし温度感知センサーが正常機能を喪失してセラミックヒーター２２ｄの発熱を自動で制御することのできない場合、並行設置されたバイメタル２２ｅを介してセラミックヒーター２２ｄに供給される電源を遮断して洗浄水過熱による低温画像の危険を予防することができる。
【０１０２】
今まで本発明を好ましい実施例で説明したが、本発明は、これに対し限定されないで発明の要旨を離脱しない範囲内で多様に変形して実施できるということはもちろんだ。
【産業上の利用可能性】
【０１０３】
本発明は、排尿時トイレを利用できない寝床依存患者の場合、便利に使って、患者の清潔を維持して、患者の心的負担及び経済的負担を減少させることができて、尿貯蔵箱と洗浄水貯蔵箱の清掃を容易にすることができる産業上利用可能性がある。
【符号の説明】
【０１０４】
１０：集尿部                      １１：集尿カップ
１１’：カップ本体                １１”：しわ管体
１１ａ：開口部（女性用）          １１ａ’：結合手段
１１ｂ：カップ本体                １１ｂ’：上部溝
１１ｂ”：下部溝                  １１ｃ’：リングボディー
１１ｄ：シリコン                  １１ｄ’：多重刃
１１ｄ”：ガードル掛け            １１ｅ：固定手段
１１ｅ’：総導管固定具            １１ｆ：支持台
１１ｆ’：結合用突起              １１ｇ：結合孔
１１ｈ：開口部                    １１ｉ：開口部（男性用）
１１ｊ：締結部                    １１ｋ：リング掛け
１１ｋ’：貫通孔                  １１ｋ”：切開部
１１ｓ：しわ台                    １１ｓ’：ちょうつがい
１１ｔ：しわ帯                    １１ｔ’：覆い
１２：尿収集部                    １２ａ：尿センサー部
１２ｂ：尿収集頸部                １２ｃ：尿収集体部
１２ｄ：開口部                    １３：総導管
１３ａ：導尿管                    １３ｂ：洗浄水管
１３ｃ：センサー管                １４：アダプタ
１４ａ：アダプタ上側部            １４ｂ：濾過部
１４ｃ：アダプタ下側部            １５：円筒状の空間部
１５ａ：洗浄水管開口部            １５ｂ：導尿管開口部
１５ｃ：センサージャック          １５ｄ：ロック手段
１５ｅ：溝                        １５ｆ：溝
１５ｆ’：パッキング              １５ｇ：溝
１５ｇ’：パッキング              １６：中空部
２０：ハウジング                  ２０ａ：結合部材
２１：尿貯蔵部                    ２１ａ：尿貯蔵箱
２１ａ’：本体                    ２１ａ”：貫通孔
２１ｂ：キャップ部                ２１ｃ：フィルター手段
２１ｄ：静電式センサー            ２１ｅ：結合手段
２１ｅ’：ヒンジ                  ２１ｅ”：ロックの輪
２１ｓ：センサー挿入溝            ２１ｔ：溝
２２：洗浄水貯蔵部                ２２’：洗浄水フィルター
２２”：水位センサー              ２２ａ：温度感知センサー
２２ａ’：貫通孔                  ２２ａ”：貫通孔
２２ｂ：ヒーター板                ２２ｂ’：濾過網
２２ｃ’：要溝                    ２２ｄ：セラミックヒーター
２２ｄ’：開閉板                  ２２ｄ”：突起部
２２ｅ：バイメタル                ２２ｅ’：開閉板固定リング
２２ｆ：洗浄水貯蔵部覆い          ２２ｆ’：フィルター覆い
２２ｆ”：中空部                  ２２ｇ：メインボディー
２３：駆動部                      ２３ａ：尿吸入ポンプ
２３ｂ：洗浄水ポンプ              ２３ｃ：乾燥ポンプ
２３ｄ：静電式センサー            ２４：制御部
２５：フィルター部                ２５ａ：筒体
２５ａ’：隔板                    ２５ｂ：尿逆流遮断手段
２５ｂ’：円筒体                  ２５ｂ”：移動球
２５ｃ：空気排出口                ２５ｄ：上部球体
２５ｅ：翼                        ２５ｆ：円筒体開口孔
３０：操作パネル                  ３１：ディスプレイ画面
３２：自動洗浄ボタン              ３２’：手動洗浄ボタン
３３：温水ボタン                  ３３’：乾燥ボタン
３４：連続洗浄選択ボタン          ３５：測定リセットボタン
３６：測定モード転換ボタン        ４０：車椅子装着手段
４１：筒体                        ４１ａ：底板
４１ｂ：壁体                      ４２：ベルト孔
４３：道具収納部                  Ａ：ビニールパック
Ｂ：鉢                            Ｃ：腰バンド
Ｇ：ガードル                      Ｋ：Ｘバンド
Ｘ：ガードル                      Ｙ：大便袋
ａ：バンド輪                      ｂ，ｂ’：ベルクロテープ
ｃ，ｃ’：締結手段                ｄ，ｄ’：後面ひも
ｅ，ｅ’：締結手段                ｆ，ｆ’：前面ひも
ｇ：支持帯                        ｈ：ホース固定ボタン設置帯
ｉ：ボタン挿入台                  ｊ：ホース固定ボタン
ｍ：交差の部分                    ｎ：穴
ｏ：輪                            ｐ，ｐ’：パッド
ｓ，ｓ’：ちょうつがい            ｔ，ｔ’：覆い
【図１】
2016521191.tif 000003
【図２】
2016521191.tif 000004
【図３】
2016521191.tif 000005
【図４ａ】
2016521191.tif 000006
【図４ｂ】
2016521191.tif 000007
【図５ａ】
2016521191.tif 000008
【図５ｂ】
2016521191.tif 000009
【図５ｃ】
2016521191.tif 000010
【図５ｄ】
2016521191.tif 000011
【図５ｅ】
2016521191.tif 000012
【図５ｆ】
2016521191.tif 000013
【図５ｇ】
2016521191.tif 000014
【図６ａ】
2016521191.tif 000015
【図６ｂ】
2016521191.tif 000016
【図７ａ】
2016521191.tif 000017
【図７ｂ】
2016521191.tif 000018
【図７ｃ】
2016521191.tif 000019
【図７ｄ】
2016521191.tif 000020
【図８】
2016521191.tif 000021
【図９ａ】
2016521191.tif 000022
【図９ｂ】
2016521191.tif 000023
【図９ｃ】
2016521191.tif 000024
【図９ｄ】
2016521191.tif 000025
【図９ｅ】
2016521191.tif 000026
【図９ｆ】
2016521191.tif 000027
【図１０】
2016521191.tif 000028
【図１１】
2016521191.tif 000029
【図１２ａ】
2016521191.tif 000030
【図１２ｂ】
2016521191.tif 000031
【図１３ａ】
2016521191.tif 000032
【図１３ｂ】
2016521191.tif 000033
【図１４】
2016521191.tif 000034
【図１５】
2016521191.tif 000035
【図１６】
2016521191.tif 000036
【図１７】
2016521191.tif 000037
【図１８ａ】
2016521191.tif 000038
【図１８ｂ】
2016521191.tif 000039
【図１９ａ】
2016521191.tif 000040
【図１９ｂ】
2016521191.tif 000041
【国際調査報告】
2016521191.tif 000042
2016521191.tif 000043
2016521191.tif 000044
2016521191.tif 000045
2016521191.tif 000046
2016521191.tif 000047
2016521191.tif 000048
2016521191.tif 000049